(57)【要約】      （修正有）【課題】支持体にポンプまたは類似機器を取外し可能に固定する一方、支持体へのポンプの連結を外さないでポンプの調整ができるようにする単純かつ効率的な締結器具の提供。【解決手段】締結器具は医療環境で使用されて、第１および第２のクランプエレメントを有する機器クランプと、クランプエレメント同士を相互連結する連結具を備える。クランプエレメントは、支持体を受けるための第１レセプタクルと、取付構造体を受けるための第２レセプタクルを画成する。少なくとも一方のクランプエレメントは、第２レセプタクル内に機器キャッチ部を画成する。連結具は、フレキシブルシャフト、機器クランプおよび機器の間の相対的な回転を防止する第１位置と、支持部材への連結を解除することなく機器の回転を許容する第２位置との間を選択的に移動できる。【選択図】図８
2009233331.tif 000002
【特許請求の範囲】
【請求項１】
医療機器を支持体に連結するためのクランプであって、前記クランプは、
ほぼ対向する第１および第２のクランプエレメントと、
前記第１および第２のクランプエレメントを相互連結する連結具とを備え、
前記第１および第２クランプエレメントは、前記支持体の一端を受けるための第１レセプタクルと、前記医療機器の取付構造体を受けるための第２レセプタクルとを画成し、
前記第１および第２クランプエレメントの少なくとも一方は、第２レセプタクル内に機器キャッチ部を画成し、
前記連結具が、前記両クランプエレメントが前記支持体の一端と、前記医療機器の前記取付構造体とを摩擦係止して、前記支持体、前記クランプおよび前記医療機器の間の相対的な回転を防止する第１位置と、前記両クランプエレメントが前記第１位置の場合よりも相対的に遠くに離れ、前記機器キャッチ部が、前記医療機器の取付構造体の前記第２レセプタクルからの離脱を防止するように位置して、前記支持体への連結を解除することなく前記医療機器の前記支持体に対する回転を許容する第２位置との間を選択的に移動できるようにしたクランプ。
【請求項２】
前記機器キャッチ部は、前記第１および第２クランプエレメントにより画成され、前記第２レセプタクル内の半径方向内側に突出するほぼ環状の舌様部を備えた請求項１に記載のクランプ。
【請求項３】
前記舌様部は、前記第２レセプタクル周りに実質的に連続的に延在するようにした請求項２に記載のクランプ。
【請求項４】
前記第１レセプタクル内で前記第１および第２クランプエレメントのうちの少なくとも一方により画成される支持体キャッチ部を更に備え、
前記支持体キャッチ部は、前記両クランプエレメントの前記第２位置で前記支持体の離脱を防止するように位置するようにした請求項１に記載のクランプ。
【請求項５】
前記機器キャッチ部は、前記支持体キャッチ部が前記第１レセプタクル内に突出するよりも小さな距離だけ前記第２レセプタクル内に突出するようにした請求項４に記載のクランプ。
【請求項６】
前記連結具は、更に、前記医療機器の前記取付構造体が前記第２レセプタクルに自由に出し入れして移動でき、かつ前記支持体の端部が前記支持体キャッチ部により前記第１レセプタクル内に捕捉されて残る第３位置まで選択的に移動可能であるようにした請求項４に記載のクランプ。
【請求項７】
前記連結具は頭部およびシャンクを含むねじを備え、
前記第１クランプエレメントは孔を有し、
前記第２クランプエレメントはねじ付き孔を有し、
前記ねじを回転させると、前記第１および第２クランプエレメントが前記第１および第２位置の間を移動するように、前記シャンクは、前記第１クランプエレメント内の孔を通って延在し、前記第２クランプエレメントの前記ねじ付き孔内にねじ込まれるようにした請求項１に記載のクランプ。
【請求項８】
前記シャンクは、前記第２クランプエレメントからの前記シャンクの離脱を防止するようなサイズおよび形状にされていて、前記第１および第２クランプエレメントの相互連結を維持するようにした請求項７に記載のクランプ。
【請求項９】
前記シャンクは、更に、前記シャンクの自由端に取り付けられた座金を備え、
前記座金は、前記第２クランプエレメント内の前記孔の直径より大きな直径を有するようにした請求項８に記載のクランプ。
【請求項１０】
前記頭部は、前記ねじを回転させるための、前記シャンクからほぼ半径方向外側に突出するレバーを含むようにした請求項７に記載のクランプ。
【請求項１１】
更に、前記第１および第２クランプエレメントが互いに離れるように付勢するために配置された圧縮ばねを備えた請求項１に記載のクランプ。
【請求項１２】
締結部材に取り付けるための第１端部、および前記クランプに取り付けるための第２端部を有するフレキシブルシャフトと組み合わされる請求項１に記載のクランプであって、
前記クランプは、更に、前記第１レセプタクル内に前記第１および第２クランプエレメントのうちの少なくとも一方が画成する支持体キャッチ部を更に備え、
前記支持体キャッチ部は、前記フレキシブルシャフトの離脱を防止するように位置する請求項１に記載のクランプ。
【請求項１３】
前記支持体キャッチ部は、前記第１レセプタクル内に突出する環状舌様部を備え、
前記フレキシブルシャフトの前記第２端部は、前記フレキシブルシャフトの前記第２端部が前記第１レセプタクル内に受けられるとき、前記環状舌様部を受けるための凹部を有するようにした請求項１２に記載のフレキシブルシャフトと組み合わされるクランプ。
【請求項１４】
前記凹部は、前記フレキシブルシャフトの長手軸の円周周りに延在するようにした請求項１３に記載のフレキシブルシャフトと組み合わされるクランプ。
【請求項１５】
フレキシブルシャフトと相互連結したまま前記フレキシブルシャフトに対する医療機器の選択的回転を許容するようにフレキシブルシャフト上に医療機器を支持する方法であって、
第１および第２クランプエレメントを開位置に移動するように連結具を回し、
前記医療機器の取付構造体を前記第１および第２クランプエレメントにより画成されたレセプタクル内に挿入し、
前記第１および第２のクランプエレメントを完全に閉じた位置まで移動するように前記連結具を回して、前記フレキシブルシャフトに対する前記取付構造体の相対的な回転を防止するために前記フレキシブルシャフトおよび前記取付構造体をクランプし、かつ
前記医療機器が前記レセプタクルから離脱するのを維持しつつ、前記取付構造体および前記医療機器が回転自由となる位置まで前記クランプを緩めるようにした方法。
【発明の詳細な説明】
【技術分野】
【０００１】
本発明は、一般に、医療機器用の支持器具の分野に関し、より詳細には、締結器具を有する医療機器取付器具に関する。
【背景技術】
【０００２】
経腸フィードポンプ等の医療機器は、通常、ポンプを支持部材に対して固定した位置に保持するポールクランプ等の取付け装置により、点滴ポール等の支持部材に取り付けられる。既存のポールクランプの一設計では、点滴ポールに対して固定された向きの間でポンプを回転つまり角度調整ができるようにすることにより、ポールに対するポンプの１自由度の動きを可能にしている。この角度調整には、クランプに設けられた実際の固定部が必要である。既存のポールクランプの別の設計では、ポンプの観察や操作を容易にするために点滴ポールに対してポンプを水平、垂直、または横方向に動かせるように、二つ以上の動きの自由度を可能にしている。その一例が、開示を引用して本明細書に組み込む、同一出願人による２００５年５月２６日出願の特許出願第１１／１３８，２００号、発明の名称「医療機器用フレキシブル締結器具」で具体化されている。
【０００３】
また、この既存のポールクランプは、通常、点滴ポールにポンプハウジングを接近させることができるように、ポンプハウジングに直接取り付けられる。このように、従来型のポールクランプにより取り付けられるポンプは、他の機器および／または医療用液体容器が必要とする点滴ポール縦方向の場所を占有してしまう。これらの既存の設計には、医療を施す場合に必要な、ベッド付近の通路を出入りさせて機器を移動させることが考慮されていない。従って、支持体にポンプまたは類似機器を取外し可能に固定する一方、支持体へのポンプの連結を外さないでポンプの調整ができるようにする単純かつ効率的な手段が必要とされている。
【発明の開示】
【０００４】
本発明の一態様では、支持部材に機器を取外し可能に固定するために医療環境で使用する締結器具は、概して、支持部材に取り付けるための第１端部、および機器に取り付けるための第２端部を有するフレキシブルシャフトを備える。機器クランプは、フレキシブルシャフトに装置を連結するために採用される。機器クランプは、ほぼ対向する第１および第２のクランプエレメントと、第１および第２のクランプエレメントを相互連結する連結具とを備える。第１および第２のクランプエレメントは、フレキシブルシャフトの第２端部を受けるための第１レセプタクルと、機器の取付構造体を受けるための第２レセプタクルとを画成する。第１および第２クランプエレメントの少なくとも一方は、第２レセプタクルに機器キャッチ部を画成する。連結具は、両クランプエレメントがフレキシブルシャフトの第２端部と機器の取付構造体とを摩擦係止して、フレキシブルシャフト、機器クランプおよび機器間の相対的な回転を防止する第１位置と、両クランプエレメントが第１位置の場合よりも相対的に遠くに離れ、機器キャッチ部が、機器の取付構造体の第２レセプタクルからの離脱を防止するように位置して、フレキシブルシャフトへの連結を解除することなく機器のフレキシブルシャフトに対する回転を許容する第２位置との間を選択的に移動できる。
【０００５】
別の態様では、医療機器を支持体に連結する際に使用するクランプは、概して、ほぼ対向する第１および第２のクランプエレメントと、第１および第２クランプエレメントを相互連結する連結具とを備える。第１および第２クランプエレメントは、支持体の一端を受けるための第１レセプタクルと、医療機器の取付構造体を受けるための第２レセプタクルとを画成する。第１および第２クランプエレメントの少なくとも一方は、第２レセプタクル内に機器キャッチ部を画成する。連結具は、両クランプエレメントが支持体の一端と医療機器の取付構造体を摩擦係止して、支持体、クランプおよび医療機器の間の相対的な回転を防止する第１位置と、両クランプエレメントが第１位置の場合よりも相対的に遠くに離れ、機器キャッチ部が、医療機器の取付構造体の第２レセプタクルからの離脱を防止するように位置して、支持体への連結を解除することなく医療機器の支持体に対する回転を許容する第２位置との間を選択的に移動できる。
【０００６】
更に別の態様では、シャフトと相互連結したままフレキシブルシャフトに対する医療機器の選択的回転を許容するようにフレキシブルシャフト上に医療機器を支持する方法は、概して、第１および第２クランプエレメントを開位置に移動させるよう連結具を回すことを含む。医療機器の取付構造体を第１および第２クランプエレメントにより画成された第２レセプタクル内に挿入する。次いで、第１および第２のクランプエレメントを完全に閉じた位置まで移動するように連結具を回して、フレキシブルシャフトに対する取付構造体の相対的な回転を防止するために第１および第２クランプエレメントにより画成されるレセプタクル内に取付構造体をクランプする。最後に、医療機器がレセプタクルから離脱するのを維持しつつ、取付構造体および医療機器が回転自由となる位置までクランプを緩める。
【０００７】
他の目的および特徴は、一部自明となるが、その他については後述する。
【図面の簡単な説明】
【０００８】
【図１】経腸フィードポンプを点滴ポールに取り付ける締結器具の斜視図である。
【図２】図１の左側立面図であり、調整したポンプ位置を仮想線で示す。
【図３】分解した締結器具および医療機器の背面斜視図である。
【図４】締結器具のフレキシブルシャフトおよび機器クランプの斜視図である。
【図４Ａ】フレキシブルシャフトの側面図である。
【図５】フレキシブルシャフトの端面図である。
【図６】図５の線６−６を含む平面で切り取った、フレキシブルシャフトの断面図である。
【図６Ａ】フレキシブルシャフトのスリーブを示す図６の詳細拡大図である。
【図７】機器クランプが受ける締結器具のステムおよびスリーブを追加して示す機器クランプの拡大斜視図である。
【図８】図７の線８−８を含む平面で切り取った、機器クランプの断面図である。
【図８Ａ】仮想線で示すステムおよびスリーブをもつ図８の機器クランプの断面図である。
【図８Ｂ】機器クランプとステムの間の連結を示す図８Ａの一部拡大図である。
【図９】機器クランプのレバーおよびねじ取付部の側面図である。
【図１０】ねじの雌ねじを示す図９の詳細拡大断面図である。
【図１１】締結器具の締結部材の拡大斜視図である。
【図１２】図１１の締結部材の水平断面図である。
【図１３】フレキシブルシャフトを外した締結部材と、締結部材が受ける円筒状ポールの断片部の斜視図である。
【図１３Ａ】図１３の１３Ａ−１３Ａを含む平面に沿って切り取った断面図である。
【図１４】図１３と同様であるが、締結部材が受ける平面状テーブルトップの断片部の斜視図である。
【図１４Ａ】図１４の１４Ａ−１４Ａを含む平面に沿って切り取った断面図である。  同一参照符号は図面全体を通じて同一部品を示す。
【発明を実施するための最良の形態】
【０００９】
図面、特に図１〜図３を参照する。動力付き医療機器アセンブリ１は、医療機器５を支持部材Ｓ上に支持するために、支持部材Ｓに取外し可能に取り付ける締結器具３を含む（参照符号は対象全体を示す）。図１の実施の形態では、支持部材Ｓは、病院または他の健康管理環境における点滴バッグ（不図示）等の医療用設備を支持するために通常使用されているスタンド（不図示）から上方に延在する円筒状ロッドＲを有する縦型の点滴ポールである。詳細には後述するように、締結器具３は、円筒形以外の支持部材に医療機器５を取り付けることができる。締結器具３は、医療機器５を支持部材Ｓに対して全範囲に動かすこと（すなわち、６自由度の動き）ができる構成なので、医療機器を一層良好に観察し、調整できるように位置決めできる。言うまでもなく、締結せずに医療機器を取り付ける器具（例えば、恒久的な取付けをも含む）は、より広い本発明の範囲内にあるので、締結器具３は、「取付器具」として更に広義に記述することができる。
【００１０】
医療機器５は、患者の診断、監視、または処置の際に使用する任意の医療機器でよい。図示の実施の形態では、医療機器５は、容器（不図示）から患者への栄養流体の配送を調節するのに用いる経腸フィードポンプ５であるが、言うまでもなく、この医療機器は、支持体に通常取付ける他の任意形式の装置とすることができる。図示の実施の形態では、ポンプ５は、ハウジング１１、ポンプ５の動作状態を監視するためのハウジング前面のディスプレイスクリーン１３、およびポンプ５を調節するための操作つまみ１５を有する。図３に示すように、ポンプ５は、締結器具３に取外し可能に取付けるためのハウジング１１の背部に取り付けられる取付ステム１９（広義には「取付構造体」）を有する。取付ステム１９は円筒状であり、ハウジング１１から延在している。言うまでもなく、ポンプ５はバッテリ駆動でも、電力ケーブル（不図示）接続でもよい。ポンプ５は、流体または空気動力等の任意の適切な方法で動力が供給されてもよい。想定では、ポンプ５は流体（例えば、空気）動力とすることができる。
【００１１】
締結器具３には、支持部材Ｓにアセンブリ１を取外し可能に取り付けるための締結部材（全体を４１で示す）を有するクランプ（全体を３７で示す）と、本器具を点滴ポールに取り付けるための、締結部材４１に取外し可能に取り付けられる固定ロッド５１が含まれる。締結器具３には、第１端部４５で締結部材４１に取り付けられ、第２端部４７でスリーブ９７を介して医療機器５に取外し可能に取り付けられる、フレキシブルシャフト（全体を４３で示す）が更に含まれる。フレキシブルシャフト４３は、ポンプ５に連結したままで支持部材Ｓに対する動きの全自由度をポンプ５に与えるよう選択的に構成可能である。支持部材Ｓに対するポンプ５の動きの全自由度には、支持部材Ｓに対する三次元（例えば、ｘ、ｙ、ｚ軸）の任意の次元へのポンプ５の並行運動、および３軸のいずれに対してもポンプ５の回転つまり角度の向きを変える能力が含まれるので、その結果、ポンプ５は支持体に対する動きの６自由度をもつことができる。更に、移動させた後、締結器具３Ｓは医療機器５を新たな選択位置にそのまま保持する。
【００１２】
図４、図４Ａ、図６に示すように、フレキシブルシャフト４３は、シャフトの第１端部４５に取り付けられた雌ねじ付きブッシング６３を持つほぼ円筒形の本体（全体を６１で示す）、およびシャフトの第２端部４７に取り付けられた機器クランプ（全体を６５で示す）を有する。図６に示すように、円筒形本体６１には、フレキシブルシャフト４３の第１端部４５から第２端部４７まで延在する複数のコイル７１を有するコイルばね（全体を６９で示す）が含まれる。スティフナ７５がコイル７１間に配置されてフレキシブルシャフト４３に剛性を与え、フレキシブルシャフト４３を屈曲したときに静止位置に留まるようにする。図示の実施の形態では、スティフナ７５は三角形断面をもつ線材からなるが、言うまでもなく、他の形状であってもよい。スティフナ７５は、コイルばね６９をあらゆる方向に屈曲させ、ねじることができるだけの柔軟性があるが、コイルばね６９が元の位置や形状に戻るのを防ぐのに十分な抵抗力がある。シース（覆い）７７は、コイルばね６９とスティフナ７５を覆い、フレキシブルシャフト４３に薄い外層を施す。シース７７は、プラスチック、ゴム、ビニール、等の任意のフレキシブルな材料で作製することができる。言うまでもなく、フレキシブルシャフト４３は、本発明の範囲から逸脱することなく、コイルばねにより支えられる、剛性材料（例えば、銅、プラスチック等）で作製した円筒形スティフナまたは内側スティフナを含んでもよい。
【００１３】
図６を詳細に参照すると、フレキシブルシャフト４３の第１端部４５に取り付けられるねじ付きブッシング６３は、その外側端部に軸方向キャビティ８５まで開いているねじ付きの軸孔８１を有し、内側端部にてフレキシブルシャフト４３のコイルばね６９およびスティフナ７５を支持する。ねじ付きブッシング６３は、シース７７で覆われるフレキシブルシャフト４３の外面８９を有するカラー８７を含み、それを把持してフレキシブルシャフト４３を締結部材４１に連結させてもよい。図３に示すように、ねじ付きブッシング６３の外側軸面は、ねじ付き孔８１の直径より僅かに幅広の矩形状突起９３を有する。スリーブ９７は、フレキシブルシャフト４３の第２端部４７にて、詳細には後述する第１の環状凹部１４１を有している。
【００１４】
図７と図８を参照すると、機器クランプ６５は、フレキシブルシャフト４３とポンプ５のステム１９との間を、回転可能かつ取外し可能に連結するための中間連結具である。機器クランプ６５には、第１（上部）クランプエレメント１０１および第２（下部）クランプエレメント１０３が含まれる。第１クランプエレメント１０１は、その中に開口部１０５を有する。開口部１０５は、座繰り孔のような形状をしており、第１肩部１０７も含んでいる。第２クランプエレメント１０３は、第２肩部１１１を持つねじ付きの座繰り孔１０９を有している。
【００１５】
機器クランプ６５には、調節部材（全体を１１３で示す）も含まれる。調節部材１１３はレバー１１５およびねじ１１７（図８）から構成される。レバー１１５は、ねじ付き固定片１１９によりねじ１１７に強固に取り付けられる。ねじ１１７は、頭部１２１と、孔１２５を有するねじ付き端部１２３（図１０参照）を含むシャンク部１２２とを備える。ねじ１１７は、第１クランプエレメント１０１の開口部１０５を貫通し、第２クランプエレメント１０３のねじ付き開口部１０９に支持され、そこでシャンク部１２２の先端部１２３のねじと、第２クランプエレメント１０３のねじ付き開口部１０９とが係合する。ねじ１１７の頭部１２１は、第１クランプエレメント１０１の第１肩部１０７上に留まり、詳細には後述するように、第１クランプエレメント１０１と第２クランプエレメント１０３の間の締結力の補強として機能する。
【００１６】
ねじ付き固定片１２７は、第２クランプエレメント１０３の開口部１０９の下端を貫通し、ねじ１１７の孔１２５内でねじで受けられる。ねじ付き固定片１２７には、シャンク部１２２の先端部１２３の自由端に座金１２９を介在させる。座金１２９は、連結具６５の操作中に第２クランプエレメント１０３の開口部１０９の第２肩部１１１と係合するように十分大きな直径とする。圧縮ばね１３１は、ねじ１１７のシャンク部１２２の周囲に位置し、その対向する両端は第１クランプエレメント１０１および第２クランプエレメント１０３を対抗して支持しているので、圧縮ばね１３１は機器クランプ６５内部の位置に保持される。圧縮ばね１３１は、第１および第２のクランプエレメント１０１、１０３を互いに引き離すように付勢する。
【００１７】
第１および第２クランプエレメント１０１、１０３の各端部では、二つのエレメント間に形成される空間が、レセプタクル１３３、１３５を画成する（図８Ａ参照）。第１レセプタクル１３３は、半径方向内側に突出し、レセプタクル周囲に実質的に連続して延在する第１の環状舌様部１３７（広義には「シャフトキャッチ部」）を有する。第２レセプタクル１３５は、第１の環状舌様部１３７より小さいが、やはり半径方向内側に突出し、レセプタクル周囲に実質的に連続して延在する第２の（浅い）環状舌様部１３９（広義には「機器キャッチ部」）を有する。第１レセプタクル１３３は、フレキシブルシャフト４３の第２端部４７上のスリーブ９７を受けるサイズおよび形状を有しており、第２レセプタクル１３５は、ポンプ５のステム１９を受けるサイズおよび形状を有している。フレキシブルシャフト４３のスリーブ９７は、第１の環状凹部１４１を有する。スリーブ９７が第１レセプタクル１３３内に受けられると、環状舌様部１３７が環状凹部１４１内に延在して、第１レセプタクル１３３によりフレキシブルシャフト４３の離脱が防止される。同様に、ポンプ５のステム１９は第２の環状凹部１４３を有する。ステム１９が第２レセプタクル１３５内に受けられると、第２環状舌様部１３９が第２環状凹部１４３内に延在して、機械的な相互ロックを提供し、第２レセプタクル１３５によりポンプ５の離脱が防止される（図８Ｂ参照）。
【００１８】
機器クランプ６５は、三つの位置で動作する。第１位置においては、ねじ１１７と第２クランプエレメント１０３との間のねじによる連結が最も強力である。この位置では、第１および第２クランプエレメント１０１、１０３は、フレキシブルシャフト４３のスリーブ９７およびポンプ５のステム１９を両エレメント１０１，１０３が締め付けるように、互いに近接する。二つのクランプエレメント１０１、１０３は、フレキシブルシャフト４３とステム１９とを仮想的に係合し、従って、フレキシブルシャフト４３、クランプカラー９９、およびポンプ５の間の相対的な回転を禁止する。
【００１９】
第２位置においては、第１および第２のクランプエレメント１０１，１０３が、ばね１３１の付勢を受けて相互に離れるように、レバー１１５が十分な角度だけ回されて、ねじ１１７と第２クランプエレメント１０３との間のねじ連結を緩める。この第２位置では、クランプカラー９９とステム１９の間の摩擦力が低下するので、ポンプ５は、第２レセプタクル１３５内でフレキシブルシャフト４３に対して回転することができる。第１レセプタクル１３３の第１環状舌様部１３７は、スリーブ９７上の第１環状凹部１４１内に延在したままなので、フレキシブルシャフト４３への連結は維持される。第２環状舌様部１３９も、フレキシブルシャフト４３へのポンプ５の連結をこの位置で保持する。従って、ポンプ５を所望の向きに回転させ、次いで、レバー１１５を前記とは反対方向に回すことにより、その位置で固定することができる。これにより、ねじ１１７と第２クランプエレメント１０３の間のねじ連結を締め付けるので、カラー９９とステム１９の間の摩擦係合状態に戻る。当該技術に精通する者には言うまでもないが、第１および第２クランプエレメント１０１，１０３が離れると、クランプカラー９９とスリーブ９７の間の摩擦力も低下して、カラー９９がポンプ５とフレキシブルシャフト４３の両方に対して回転可能になる。これは、レバー１１５がアクセス困難な位置になる姿勢で、クランプ３７をサポート体に取り付けなければならない場合、シャフト４３を中心にクランプ９９を回転させて、レバー１１５をより便利な操作位置に配置できるという利点を有する。
【００２０】
第３位置においては、第１および第２クランプエレメント１０１，１０３が、ばね１３１の付勢により互いに更に離れるように、第２位置から更に十分な角度だけレバー１１５を回転させて、ねじ１１７と第２クランプエレメント１０３との間のねじ連結を緩める。この位置では、第２環状舌様部１３９は、第２環状凹部１４３を通過する。従って、第２環状舌様部１３９とステム１９の間の円周方向の全ての干渉が完全に排除される結果となり、ポンプ５を第２レセプタクル１３５に自由に出し入れできるようになる。この位置では、フレキシブルシャフト４３に連結されていないポンプ５をユーザーは自由に取り扱うことができるか、ポンプ５を別の装置と交換することができる。この第３位置では、第１環状舌様部１３７は、第１環状凹部１４１内にまだ延在しており、フレキシブルシャフト４３と機器クランプ６５の間の連結はそのまま維持される。
【００２１】
図１１と図１２に示すように、締結部材４１は、ほぼＣ字形であり、点滴ポール等の支持部材Ｓと接触させるための内面（全体を１６１で示す）、および支持部材Ｓを受けるための開口部１６３、および外面（全体を１６５で示す）を有する。言うまでもなく、本明細書で説明したものと異なる構成をもつ締結部材（不図示）を、本発明の範囲から逸脱することなく用いてもよい。更に、本発明の範囲を逸脱することなく締結部材全体を省いてもよい。図１２を参照すると、締結部材４１は、締結部材４１の上側（図１２の向きで示す）にて、中央部１７１とほぼ直角に交差する上部１６９を有する。中央部１７１の内面１６１は、凹部１７５を有する。締結部材４１のねじ付き孔１７７が上部１６９を貫通し、ねじのない円筒状の開口部１７９が中央部１７１の凹部１７５を貫通する。中央部１７１は、離間している突状壁１８４を有し、突状壁１８４は、フレキシブルシャフト４３を締結部材４１に連結した場合に、フレキシブルシャフト４３の第１端部４５にあるねじ付きブッシング６３の矩形状突起９３（図３）を受けるサイズの凹部１８５を画成する。
【００２２】
締結部材４１の第１下部１８７は、中央部１７１とほぼ直角に交差している。第２下部１９０は、第１下部１８７と第２下部１９０が角度９０度未満の屈曲部１９１で交わるように、第１下部１８７に対して下方に屈曲している。第３下部１９３は、第２下部１９０と第３下部１９３が締結部材４１の下側屈曲部１９５で交差するように、第２下部１９０に対して上方に屈曲している。第２と第３下部１９０、１９３は、「Ｖ字」を画成して点滴ポールまたは支持部材Ｓを受ける（図１３参照）。第４下部１９７は、第３下部１９３と第４下部１９７が屈曲部１９９で交差するように第３下部１９３に対して下方に屈曲している。上部１６９と対面する第４下部１９７上の内面１６１の一部は、第１下部１８７の対応する面と実質的に同一平面となるように配設されている。
【００２３】
図１１と図１２に示すように、第１下部１８７は、第１下部１８７に円筒状凹部２１１を形成するほぼ半円筒状の二本のアーム部２０５、２０７を第１下部１８７の外面に有する。円筒状凹部２１１は、ＡＣ電源アダプタのコード（不図示）を使用しないときの保持構造を提供する。二本のアーム部２０５、２０７は、ポンプ５の電源アダプターコードや他のコードを凹部２１１に受け入れるように、軸方向スロット２１３により分離されている。
【００２４】
図３に示すように、締結部材４１の中央部１７１の凹部１７５にある開口部１７９を通して受け入れ、フレキシブルシャフト４３の第１端部４５上の雌ねじブッシング６３とねじ係合するねじ付きボルト２６１または他の締結片により、フレキシブルシャフト４３は締結部材４１に取り付けられる。凹部１７５がボルト２６１の頭部を受けるよう構成されているので、締結部材４１をフレキシブルシャフト４３に連結する場合に、頭部が支持部材Ｓと干渉しない。フレキシブルシャフト４３のねじ付きブッシング６３の軸方向外面が、締結部材４１の中央部１７１の外面１６５に当接する場合、締結部材４１の中央部１７１の凹部１８５が、ねじ付きブッシング６３上の突起９３を受ける。ねじ付きブッシング６３上の突起９３を壁１８４と係合させると、ねじ付き締結片２６１をねじ付きブッシング６３にねじ込むときにねじ付きブッシング６３の回転が防止される。フレキシブルシャフト４３と締結部材４１の間のねじ連結は、ねじ付き締結片２６１を外すことによって、フレキシブルシャフト４３と締結部材４１とを分解して、他の部品（例えば、長さを変更したフレキシブルシャフト、剛性を増減させたフレキシブルシャフト、または形状を変更した締結部材）と交換することができる。言うまでもなく、フレキシブルシャフト４３は、本発明の範囲を逸脱することなく、他の取付機構（例えば、クイック取外し連結具、リベット等）により締結部材４１と連結してもよい。
【００２５】
言うまでもなく、本発明の締結部材４１により、ポンプ５を、円筒面Ｓ（図１３、図１３Ａ）または平面ＰＳ（図１４、図１４Ａ）に取り付けることができる。従って、健康管理環境において、点滴ポール、水平または縦のベッドレール、車椅子パイプ等の病院や医療設備に普通にある支持体にポンプ５を都合よく取り付けることができる。更に、ポンプ５は、医療設備外の家庭や他の設定で用いるために、テーブルトップＰＳ等の他の構造体に取り付けられてもよい。ポンプ５を取り付けるための他の適切な支持構造物には、限定はしないが、動力付き医療用スクータつまり移動椅子、マルチパラメーターカート、ドア、テーブル、キャビネット、ベッドスタンド、カウンタートップ、椅子、医療用トレイ、テレビ用トレイ、および机が含まれる。更に、締結部材４１は、第１の厚さＴ１（図１３Ａ）を有するポールＳ、またはポールよりも厚くても薄くてもよい厚さＴ２（図１４Ａ）を持つほぼ平面のテーブルトップＰＳに係止することができる。
【００２６】
図１４と図１４Ａに示すように、締結器具３は、テーブルトップ等の平面支持部材ＰＳに医療機器５を締結するように構成されてもよい。この編成では、固定ロッド５１は、締結部材４１のねじ付き孔１７７を通してねじ込まれて、テーブルトップＰＳの上面ＵＳに接触する。テーブルトップＰＳの下面ＬＳは、テーブルＰＳが固定ロッド５１と締結部材４１との間でクランプ係合された状態に保持されるように、締結部材４１の第１下部１８７および第４下部１９７の内面１６１と接触する。固定ロッド５１がテーブルＰＳの上面ＵＳと係合し、テーブルＰＳの下面ＬＳが付勢されて第１および第４下部１８７、１９７と接触固定されるように、固定ロッド５１上のノブ３２５を回転させることによって、締結器具３はテーブルＰＳに固定される。第１および第４下部１８７、１９７の実質的に同一平面上の関係により、安定性がもたらされ、中央部１７１をテーブルトップＰＳの上面および下面ＵＳ、ＬＳとほぼ垂直に配向する。
【００２７】
本発明のフレキシブルシャフト４３により、支持部材Ｓに対するポンプ５の６自由度の動きが可能になる。ポンプ５は、ハウジング１１上の一点（例えば、ハウジングの前面）が支持部材Ｓから第１距離Ｄ１だけ離れるように、フレキシブルシャフト４３により、ポンプ５が静止位置に保持される第１位置（図１、図２）に取り付けられてもよい。ポンプ５のハウジング１１に力を加えることにより、ポンプ５が、ハウジング１１上の前記一点が支持部材Ｓから第１距離Ｄ１を超える第２距離Ｄ２となるように、ポンプ５を静止位置でフレキシブルシャフト４３により保持してもよい。第２位置（図２に仮想線で示す）に移動するようにフレキシブルシャフト４３を操作してもよい。言うまでもなく、距離Ｄ２が第１距離Ｄ１未満となるようなポールＳに近い第２位置にポンプ５を位置決めしてもよい。同様に、ポンプ５は、支持部材Ｓに垂直でポンプ５を通る水平軸（例えば、図１と図２のｘ軸）に対して上向きか下向きとして、ポンプ５のディスプレイスクリーン１３がよく見えるようにしてもよい。更に、ポンプ５は、縦軸（例えば、図１と図２のｙ軸）に対して左右に傾斜させて、ディスプレイスクリーン１３が見えるように、または操作つまみ１５にアクセスできるようにしてもよい。機器クランプ６５を用いてポンプ５を水平軸Ａ２を中心に回転させてもよい。機器クランプ６５は、フレキシブルシャフト４３の機能を失わせる可能性のある、フレキシブルシャフト４３のばね６９が回転により巻き戻されることを防止するように作用する。また、フレキシブルシャフト４３により、ポンプ５は支持体Ｓとポンプ５を結ぶ線に沿ってどこにでも移動でき、従って、支持部材Ｓに対するポンプ５の位置を制限する唯一の要因はフレキシブルシャフト４３の長さとなる。
【００２８】
本発明を詳細に説明してきたが、言うまでもなく、添付クレームで定義する本発明の範囲を逸脱することなく修正および改変が可能である。
【００２９】
本発明の要素または好適な実施の形態を紹介する場合、冠詞「ａ」、「ａｎ」、「ｔｈｅ」、「前記」は一つ以上のエレメントがあることを意図している。用語「備える」、「含む」、「有する」は、包括的であることを意図し、リストアップした要素以外の追加要素があることを意味する。
【００３０】
上記説明から分かるように、本発明の幾つかの目的が達成され、他の利点ある結果が得られる。
【００３１】
本発明の範囲を逸脱することなく上記構成に多様な変更を行うことができる。想定では、上記説明に含まれ、添付図面に示される全てのことは、説明のためと解釈すべきであり、制限する意味合いはない。
【図１】
2009233331.tif 000003
【図２】
2009233331.tif 000004
【図３】
2009233331.tif 000005
【図４】
2009233331.tif 000006
【図４Ａ】
2009233331.tif 000007
【図５】
2009233331.tif 000008
【図６】
2009233331.tif 000009
【図６Ａ】
2009233331.tif 000010
【図７】
2009233331.tif 000011
【図８】
2009233331.tif 000012
【図８Ａ】
2009233331.tif 000013
【図８Ｂ】
2009233331.tif 000014
【図９】
2009233331.tif 000015
【図１０】
2009233331.tif 000016
【図１１】
2009233331.tif 000017
【図１２】
2009233331.tif 000018
【図１３】
2009233331.tif 000019
【図１３Ａ】
2009233331.tif 000020
【図１４】
2009233331.tif 000021
【図１４Ａ】
2009233331.tif 000022
【外国語明細書】
2009233331000001.pdf
2009233331000002.pdf
2009233331000003.pdf
2009233331000004.pdf